(57)【要約】【課題】  誘導方式により無線で電源を共有する装置及び方法を提供する。【解決手段】  電源を供給する第１バッテリーと、交流入力電圧を受けて直流電圧に変換して出力する整流器と、直流入力電圧を受けて交流電圧に変換して出力するインバータと、整流器とインバータのうち一つと連結して第１バッテリーを充電させるか、または第１バッテリーの電源で外部デバイスに含まれた第２バッテリーを充電させるために電源を提供する電源制御変換部と、外部デバイスと通信を行う近距離通信部と、を備える装置。【選択図】      図３
2007124890.tif 000002
【特許請求の範囲】
【請求項１】
電源を供給する第１バッテリーと、
交流入力電圧を受けて直流電圧に変換して出力する整流器と、
直流入力電圧を受けて交流電圧に変換して出力するインバータと、
前記整流器とインバータのうち一つと連結して前記第１バッテリーを充電させるか、または前記第１バッテリーの電源で外部デバイスに含まれた第２バッテリーを充電させるために電源を提供する電源制御変換部と、
前記外部デバイスと通信を行う近距離通信部と、を備える装置。
【請求項２】
前記第１バッテリーの充電状態を感知する充電センサー部を備え、前記充電センサー部が、前記第１バッテリーの残余充電量が所定値以下である場合、前記近距離通信部を通じて周辺に存在するデバイスの充電状態を受信する請求項１に記載の装置。
【請求項３】
前記近距離通信部が受信したデバイスの充電状態を出力するユーザインターフェース部をさらに備える請求項２に記載の装置。
【請求項４】
前記近距離通信部は、前記外部デバイスの近距離通信部と認証を行う請求項１に記載の装置。
【請求項５】
前記電源制御変換部は、誘導コイルに連結されており、前記誘導コイルが第１巻線または第２巻線と設定されて前記外部デバイスに変圧器の機能を提供する請求項１に記載の装置。
【請求項６】
前記第１バッテリーの充電量が所定大きさ以下である場合、前記電源制御変換部は前記整流器と連結し、前記電源制御変換部に結合された誘導コイルを２次巻線と設定し、前記近距離通信部は、前記外部デバイスに電源提供モードと設定することを要請するデータを送信して、前記外部デバイスの誘導コイルが１次巻線と設定されて前記第１バッテリーを充電させる請求項１に記載の装置。
【請求項７】
前記近距離通信部が電源提供モードと設定することを要請するデータを前記外部デバイスから受信した場合、前記電源制御変換部は前記インバータと連結し、前記電源制御変換部に結合された誘導コイルを１次巻線と設定して、前記外部デバイスに電源を供給する請求項１に記載の装置。
【請求項８】
前記近距離通信部は、ＮＦＣによる請求項１に記載の装置。
【請求項９】
前記近距離通信部は、ＲＦタグを通じてデータを送受信する請求項１に記載の装置。
【請求項１０】
近距離通信部を通じてソースモードで動作が可能なデバイスを感知するステップと、
前記感知された第１デバイスにソースモードで動作することを要請するステップと、
整流器とバッテリーとを連結し、前記整流器と電源制御変換部とを連結して外部からエネルギーを受信できるロードモードに変換するステップと、
前記電源制御変換部に結合された誘導コイルを第２巻線と設定するステップと、
前記第１デバイスの第１巻線と設定された誘導コイルからエネルギーを受信するステップと、を含む誘導方式により無線で電源をロードする方法。
【請求項１１】
前記感知するステップ以前に前記バッテリーの充電状態をチェックするステップをさらに含む請求項１０に記載の誘導方式により無線で電源をロードする方法。
【請求項１２】
前記近距離通信部が感知したデバイスの電源状態を出力するステップをさらに含む請求項１０に記載の誘導方式により無線で電源をロードする方法。
【請求項１３】
前記要請するステップ以前に、前記第１デバイスと認証を行うステップをさらに含む請求項１０に記載の誘導方式により無線で電源をロードする方法。
【請求項１４】
近距離通信部を通じて第１デバイスからソースモードで動作することを要請するデータを受信するステップと、
インバータとバッテリーとを連結し、前記インバータと電源制御変換部とを連結して前記第１デバイスにエネルギーを提供できるソースモードに変換するステップと、
前記電源制御変換部に結合された誘導コイルを第１巻線と設定するステップと、
前記第１デバイスの第２巻線と設定された誘導コイルにエネルギーを送信するステップと、を含む誘導方式により無線で電源を伝送する方法。
【請求項１５】
前記受信するステップ以前に前記バッテリーの充電状態をチェックするステップと、
前記チェックしたバッテリーの充電状態を送信するステップと、をさらに含む請求項１４に記載の誘導方式により無線で電源を伝送する方法。
【請求項１６】
前記受信するステップ以後に、前記第１デバイスと認証を行うステップをさらに含む請求項１４に記載の誘導方式により無線で電源を伝送する方法。
【発明の詳細な説明】
【技術分野】
【０００１】
本発明は、接触なしに電源を充電する方式に係り、さらに詳細には、誘導方式により無線で電源を共有する装置及び方法に関する。
【背景技術】
【０００２】
携帯用装置または移動型装置（ポータブルデバイス）が動作するためには、電源この持続的に供給されねばならない。電源を持続的に供給するためにはバッテリーが装着されねばならないが、このバッテリーは、１回のみ放電を行って廃棄される使い捨て用バッテリーと、放電及び充電を通じて長期間使用できる充電用バッテリーとがある。
【０００３】
充電用バッテリーは、一定期間放電すれば再び充電せねばならない。充電するために交流電源を直流電源に変える過程が必要であり、この過程は、通常充電器を通じて行われる。充電器はコンセントと結合されて固定されるか、半固定の状態に存在する場合が普通である。また充電器により充電用バッテリーが所定の端子を通じて充電される方式が従来一般的であった。
【０００４】
しかし、このような方式は、バッテリーの充電端子が古くなって充電性能を落とすことができ、有線でバッテリーと充電器とを結合する場合、移動型装置の移動性に限界がありうる。したがって、接触なしにまたは無線で充電するための研究が進みつつある。
【０００５】
図１は、従来の非接触充電方式を示す図面である。特許文献１では、図１のように充電パッド１０を設け、このパッドにデバイス２０を設ければ電線や端子の接触なしに充電を行える方法を提示している。充電パッドのどこにでも充電するデバイスを設けるならば、誘導方式を通じて電源が充電されて使用できる。
【０００６】
図１の方法は、充電器は固定されているが、端子の接触なしに誘導方式で充電を行う。ところが、充電パッドがＡＣ電源に連結された状態に固定されているため、どこにでも充電可能なものではないという短所がある。すなわち、充電が必要なモバイルデバイスの移動性に限界がある。
【０００７】
一方、特許文献２では、ＰＣＭＣＩＡカードを通じてＤＣ電源を共有するが、これは、デバイスとカードとの接触が必要であるという点で不便を招く。
【０００８】
モバイルデバイスの携帯性を極大化するために、非接触の充電方式が必要する。また、モバイルデバイス間に保有した電源を共有して充電する方式が必要である。
【特許文献１】イギリス特許第ＧＢ２３９８１７６号公報
【特許文献２】米国特許第０６６５３８１３Ｂ１号公報
【発明の開示】
【発明が解決しようとする課題】
【０００９】
本発明は、前記した問題点に鑑みてなされたものであり、本発明は接触や電線なしに誘導方式を通じて充電を行うことである。
【００１０】
特に、移動／携帯型装置間に共通のインターフェースを提供して電線や接触なしに電源を共有して充電するところに目的がある。そして、前記の接触のない充電のために、デバイスが他のデバイスを感知して充電または放電を行うところに目的がある。
【００１１】
また、モバイルデバイスの生産者によって多様になったモバイルデバイスの大きさ、タイプに拘らないバッテリー充電方式を提供し、一つのデバイスで複数のモバイルデバイスが充電を行うところに目的がある。
【００１２】
本発明の目的は、以上で言及した目的に制限されず、言及されていない他の目的は下の記載から当業者に明確に理解されうる。
【課題を解決するための手段】
【００１３】
本発明は、誘導方式により無線で電源を共有する装置及び方法に関する発明であって、本発明の一実施形態による装置は、電源を供給する第１バッテリーと、交流入力電圧を受けて直流電圧に変換して出力する整流器と、直流入力電圧を受けて交流電圧に変換して出力するインバータと、前記整流器とインバータのうち一つと連結して前記第１バッテリーを充電させるか、または前記第１バッテリーの電源で外部デバイスに含まれた第２バッテリーを充電させるために電源を提供する電源制御変換部と、前記外部デバイスと通信を行う近距離通信部と、を含む。
【００１４】
本発明の一実施形態による誘導方式により無線で電源をロードする方法は、近距離通信部を通じてソースモードで動作が可能なデバイスを感知するステップと、前記感知された第１デバイスにソースモードで動作することを要請するステップと、整流器とバッテリーとを連結し、前記整流器と電源制御変換部とを連結して外部からエネルギーを受信できるロードモードに変換するステップと、前記電源制御変換部に結合された誘導コイルを第２巻線と設定するステップと、前記第１デバイスの第１巻線と設定された誘導コイルからエネルギーを受信するステップと、を含む。
【００１５】
本発明の一実施形態による誘導方式により無線で電源を伝送する方法は、近距離通信部を通じて第１デバイスからソースモードで動作することを要請するデータを受信するステップと、インバータとバッテリーとを連結し、前記インバータと電源制御変換部とを連結して前記第１デバイスにエネルギーを提供できるソースモードに変換するステップと、前記電源制御変換部に結合された誘導コイルを第１巻線と設定するステップと、前記第１デバイスの第２巻線と設定された誘導コイルにエネルギーを送信するステップと、を含む。
【００１６】
その他の実施例の具体的な事項は詳細な説明及び図面に含まれている。
【発明の効果】
【００１７】
本発明を具現することによって、両方向の非接触の充電が行われ、モバイルデバイス間に電源を共有できる。
【００１８】
本発明を具現することによって、固定されたＡＣ電源充電器なしに充電が可能であってモバイルデバイスの移動性を向上させることができ、個別モバイルデバイスのバッテリータイプに制限されずに電源を共有できる。
【発明を実施するための最良の形態】
【００１９】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００２０】
以下、本発明の実施形態による３誘導方式により無線で電源を共有する装置及び方法を説明するためのブロック図、または処理フローチャートに関する図面を参考して本発明について説明する。
【００２１】
また、各ブロックは特定の論理的機能を行うための一つ以上の実行可能なインストラクションを含むモジュール、セグメントまたはコードの一部を示すことができる。また、いくつの代替実行例では、ブロックで言及された機能が順序を外れて発生することも可能であるということに注目せねばならない。例えば、連続して図示されている２つのブロックは、実質的に同時に行われてもよく、またはそのブロックが時々該当する機能によって逆順に行われてもよい。
【００２２】
図２は、本発明の一実施形態による変圧器の内部構成をモバイルデバイスで具現する概念を示す図面である。変圧器は、１次巻線（プライマリコイル）５１と２次巻線（セカンダリーコイル）５２とで構成される。変圧器は、大きく１次巻線と２次巻線とから形成されており、１次巻線から２次巻線へ誘導電圧によりエネルギーが移動する。変圧器には１次巻線と２次巻線とが一つの装置内にあるが、本明細書では、これらを相異なるデバイスにそれぞれ取り付けて、二つのデバイスが非接触で近距離にある場合に充電を行わせる。
【００２３】
例えば、第１デバイス３１に第１巻線５１が設けられており、第２デバイス３２に第２巻線３２が設けられて、二つのデバイスが一定距離以内に位置すれば、１次巻線５１と２次巻線５２とが変圧器を構成してエネルギーを移動させることができる。したがって、第１デバイスが充電器の機能を行い、第２デバイスが第１デバイスのエネルギーを受けて充電を行える。
【００２４】
図３は、本発明の一実施形態によるモバイルデバイスの構成を示す図面である。モバイルデバイス１００には、ノート型パソコン、携帯電話、ＰＤＡ、ＰＭＰ、ＭＰ３プレーヤーなどの携帯用装置を含む。携帯用装置を動作させるためにバッテリー１３０が必須に装着される。
【００２５】
本実施例で使われる“部”という用語、すなわち、“モジュール”または“テーブル”という用語は、ソフトウェアまたはＦＰＧＡ（フィールドプログラマブルゲートアレイ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア構成要素を意味し、モジュールは所定の役割を行う。しかし、モジュールはソフトウェアまたはハードウェアに限定されるものではない。モジュールはアドレッシングできる保存媒体に位置すべく構成されても良く、１つまたはそれ以上のプロセッサーを再生させるように構成されても良い。したがって、一例としてモジュールはソフトウェア構成要素、客体向けソフトウェア構成要素、クラス構成要素及びタスク構成要素のような構成要素と、プロセス、関数、属性、プロシージャー、サブルーチン、プログラムコードのセグメント、ドライバー、ファームウェア、マイクロコード、回路、データ、データベース、データ構造、テーブル、アレイ及び変数を含む。構成要素とモジュール内で提供される機能はより少数の構成要素及びモジュールに結合されるか、追加的な構成要素とモジュールにさらに分離されうる。のみならず、構成要素及びモジュールはデバイスまたは保安マルチメディアカード内の１つまたはそれ以上のＣＰＵを再生させるように具現されることもある。
【００２６】
以下、本明細書では、モバイルデバイスが他のデバイスにエネルギーを提供することをソースモード、他のデバイスからエネルギーを得て自身のバッテリーを充電させることをロードモードという。
【００２７】
構成を説明すれば、バッテリー１３０、整流器１２０、インバータ１６０、電源制御／変換部１１０が充電と関連した作業を行う。それ以外にも充電センサー部１４０、通信部１７０、ユーザインターフェース部１５０などがある。
【００２８】
整流器１２０は、交流（ＡＣ）で入力された電圧を直流電圧に変換するように設けられた電気的な回路素子または装置である。図３で、整流器１２０は、電源制御／変換部１１０を通じて交流電圧を入力されてバッテリー１３０に直流電圧を提供して、バッテリー１３０を充電させる。整流器は通常変圧器などで多く使われるものであって、整流器についての詳細な説明は当業者に自明なので省略する。
【００２９】
インバータ１６０は、直流（ＤＣ）で入力された電圧を交流電圧に変換するように設けられた電気的な回路素子または装置である。図３でインバータ１６０は、バッテリー１３０を通じて直流電圧を入力されて電源制御／変換部１１０に交流電圧を提供する。その結果、他のモバイルデバイスのバッテリーを充電させる。インバータは、通常変圧器などで多く使われるものであって、整流器についての詳細な説明は当業者に自明なので省略する。
【００３０】
電源制御／変換部１１０は、整流器１２０とインバータ１６０のうちいずれか一つと結合されて、モバイルデバイス１００が他のデバイスからエネルギーを受けるか（ロード）、または他のデバイスにエネルギーを提供する（ソース）機能を行うことができる。電源制御／変換部１１０は、交流、直流の入出力レベルを調節する。またロードモード、ソースモードによって異なって動作してエネルギーを得るか、放出できる。
【００３１】
充電センサー部１４０は、バッテリー１３０の充電状態を持続的にチェックして、バッテリー１３０が充電が必要であるか、または他のデバイスにエネルギーを提供できるほど充電量が十分であるかなどの情報をユーザインターフェース部１５０に提供しつつ、また電源制御／変換部１１０が整流器１２０と結合するか、またはインバータ１６０と結合するかを制御できるように情報を提供する。
【００３２】
通信部１７０は、無線で通信を行い、一定距離内に存在する他のモバイルデバイスを感知して他のデバイスの状態についての情報を受信し、充電如何を調整可能にする。また、認証過程を共に行うようにして、認証されていないモバイルデバイスが他のデバイスからエネルギーを受けることを防止することができる。近距離に存在するデバイスを感知するために、ＲＦ（無線高周波）を利用して通信が可能である。例えば、ＮＦＣ（Ｎｅａｒ  Ｆｉｅｌｄ  Ｃｏｍｍｕｎｉｃａｔｉｏｎ）、赤外線通信、ブルートゥース、ジグビー（Ｚｉｇｂｅｅ）などを適用できる。ＮＦＣを使用する場合、妨害要素が多い環境でも通信を行うことができる。また他のＲＦ技術を採用できる。
【００３３】
誘導コイル１８０は、モバイルデバイスがエネルギーを与える役割を行うか、受ける役割を行う場合によって、１次巻線または２次巻線の機能を行う。これは、図２で説明した通りである。
【００３４】
誘導コイル１８０は、デバイスのモードによって変わるが、ロードモードである場合、誘導コイルは第２巻線の機能を行い、ソースモードである場合には第１巻線の機能を行う。
【００３５】
ユーザインターフェース部１５０は、充電センサー部１４０及び通信部１７０を通じて受信した情報を出力する。具現によって、ユーザがモバイルデバイスをソースモードとするか、ロードモードとするか、またはロードモードである場合、いかなるデバイスを選択するかについて入力されることができる。また複数のモバイルデバイスがソースモードである場合、それぞれのモバイルデバイスの充電量によって特定モバイルデバイスを選択できる。
【００３６】
図４は、本発明の一実施形態による二モバイルデバイスが非接触で充電を行う図面である。図４で、第１デバイス１０１はロードモードであり、第２デバイス１０２はソースモードである。
【００３７】
第１デバイス１０１の電源制御／変換部１１１はインバータ１６１との連結が遮断され、整流器１２１と連結され、整流器１２１は、電源制御／変換部１１１を通じて交流で入力されたエネルギーを直流に転換してバッテリー１３１に提供してバッテリー１３１を充電させる。
【００３８】
第２デバイス１０２の電源制御／変換部１１２は、整流器１２２との連結が遮断され、インバータ１６２と連結されている。インバータ１６２は、バッテリー１３２に充電された直流電圧を交流に変換して電源制御／変換部１１２に提供すれば、電源制御／変換部１１２は、第１デバイス１０１にエネルギーを提供する。
【００３９】
エネルギーを提供して受信する過程で必要な情報交換は、両デバイスの通信部１７１、１７２を通じて行われる。第１デバイス１０１の充電センサー部１４１は、充電量を持続的にチェックして過度に充電されないように電源制御／変換部１１１に情報を提供する。電源制御／変換部１１１は、受信したエネルギーをバッテリー１３１の充電形態、容量によって充電できるようにエネルギー受信を制御する。
【００４０】
第２デバイス１０２の充電センサー部１４２は、バッテリー１３２の充電量を持続的にチェックして、過度に放電されないように電源制御／変換部１１２に情報を提供する。
【００４１】
二つのデバイス間にエネルギーを接触なしに共有する過程を例示的に説明すれば、次の通りである。第１デバイス１０１及び第２デバイス１０２を持つユーザは、各デバイス１０１，１０２に具備されたユーザインターフェース部１５１，１５２によってバッテリー容量が足りないということを知る。バッテリーの充電状態については、充電センサー部１４１を利用して測定して通信できる。第１デバイス１０１の充電バッテリー１３１は、ノート型パソコン、ＰＤＡ、ＭＰ３プレーヤー、ゲームコンソールなどに装着でき、それぞれ異なる電圧と電流、キャパシティを持つ。バッテリーもニッケルメタルハイブリッドバッテリー（ＮｉＭＨ）またはリチウムイオンバッテリーなど多様に構成できる。
【００４２】
ユーザは、バッテリーの充電量が足りないと、充電を試みることができる。そして、周辺のデバイスで充電を行えるかどうかを通信部１７１を通じて情報を受信して、ユーザインターフェース部１５１に出力できる。また自動的に特定デバイスを選択できる。デバイスの選択及び出力はソフトウェア的に具現可能であり、デバイスの感知は、通信部のＲＦ信号の出力パワーによって変わりうる。
【００４３】
選択した第２デバイス１０２からエネルギーを供給されてバッテリー１３１を充電させるために、第１デバイスの電源制御／変換部１１１と整流器１２１とは互いに連結されてバッテリー１３１にエネルギーを供給する。電源制御／変換部１１１に結合された誘導コイル１８１は変圧器の第２巻線の機能を行う。第１デバイスはロードモードになる。
【００４４】
一方、第２デバイス１０２はソースモードであって、電源制御／変換部１１２はインバータ１６２と連結されている。バッテリー１３２に存在するエネルギーを、インバータ１６２を通じて直流から交流に切換えた後、第１巻線の機能を行う誘導コイル１８２を通じてエネルギーを第１デバイス１０１に提供する。充電センサー部１４２は、バッテリー１３２の充電量をチェックして過多にエネルギーを放出しないように電源制御／変換部１１２に情報を提供できる。
【００４５】
第１デバイス１０１の通信部１７１と第２デバイス１０２の通信部１７２とは、充電に必要なデータを送受信できる。また相互間の認証過程を行って、検証されたデバイス間でのみ充電を行わせることができる。
【００４６】
図５は、本発明の一実施形態による複数のモバイルデバイスが一つのデバイスから充電を行う図面である。
【００４７】
第１デバイス１０３と第２デバイス１０６とは、第３デバイス１０４からエネルギーを受信する。第２デバイス１０６と第３デバイス１０４とは誘導コイルをそれぞれ２個ずつ持っており、ロードモードまたはソースモードを行う。ここで、第１デバイス１０３、第２デバイス１０６及び第３デバイス１０４は電源制御／変換部１１１，１１６，１１４、整流部１２３，１２６，１２４、バッテリー１３３，１３６，１３４、充電センサー部１４３，１４６，１４４、ユーザインターフェース部１５３，１５６，１５４、インバータ１６３，１６６，１６４、通信部１７３，１７６，１７４、及び誘導コイル１８３，１８６，１８７，１８４，１８５を含み構成される。
【００４８】
第３デバイス１０４の誘導コイル１８４は、第１デバイス１０３の誘導コイル１８３と結合してエネルギーを供給し、第３デバイス１０４の誘導コイル１８５は、第２デバイス１０６の誘導コイル１８７と結合してエネルギーを供給する。
【００４９】
デバイス間の誘導結合でエネルギーを共有するためには、デバイスの内部に電場または磁場の影響を受けないようにシールディングする技法が必要である。人体への電磁波の影響を最小化するために、デバイス間にエネルギーを共有する距離を短縮できる。例えば、通信部で通信を行う距離は１ｍ以上になってもよいが、特定デバイスとソース／ロードモードでエネルギーを共有する時には１０ｃｍ以下の距離を維持する。
【００５０】
図６は、本発明の一実施形態によるモバイルデバイスが他のモバイルデバイスからエネルギーを受信するロードモードである場合の動作を示すフローチャートである。
【００５１】
まず、バッテリーの充電状態をチェックする（Ｓ２１０）。これは、充電センサー部を通じて可能である。充電が必要な状態であれば（Ｓ２２０）、エネルギーを受信するための作業を行う。充電が必要でない状態であれば、周期的にバッテリーの充電状態をチェックする（Ｓ２１０）。充電が必要な場合、周辺に存在するデバイスからソースモードで動作が可能なデバイスを感知する（Ｓ２３０）。これは、近距離通信部を通じて周辺のデバイスと近距離通信を行って、いかなるデバイスにどれほど充電されているかが分かる。次いで、感知されたデバイスの充電状態を出力する（Ｓ２４０）。ユーザインターフェース部を通じて特定デバイスを選択する（Ｓ２５０）。この時、ユーザの介入なしに自動で特定デバイスを選択してもよい。選択されたデバイスがソースモードで動作が可能であるかどうかを検討する（Ｓ２６０）。例えば、該当デバイスがソースモードで動作しないように設定できる。また認証過程を通じてのみソースモードで動作する場合、認証が失敗する場合、ソースモードで動作しなくなる。したがって、ソースモードで動作不可になれば、他のデバイスを選択できる。
【００５２】
一方、選択したソースデバイスがソースモードで動作が可能ならば、充電しようとしたデバイスはロードモードに変換する（Ｓ２７０）。ロードモードへの変換は、整流器とバッテリーとを連結し、前記整流器と電源制御変換部とを連結して外部からエネルギーを受信可能にすることを含む。そして、誘導コイルを第２巻線と設定する（Ｓ２８０）。設定された第２巻線と選択したソースデバイスの第１巻線からエネルギーを受信する（Ｓ２９０）。エネルギーを受信しつつバッテリーの充電状態をチェックして過充電にならないようにすることができる。
【００５３】
図７は、本発明の一実施形態によるモバイルデバイスが他のモバイルデバイスにエネルギーを送信するソースモードである場合の動作を示すフローチャートである。
【００５４】
バッテリーの充電状態を、充電を必要とする充電デバイスに送信する（Ｓ３１０）。そして、前記充電デバイスからソースモードで動作することを要請するデータを受信する（Ｓ３２０）。充電デバイスと認証過程を行う（Ｓ３３０）。これは、検証されていないデバイスに放電されることを防止するためである。認証に失敗すれば、エネルギーを送信しない。
【００５５】
一方、認証が成功すれば（Ｓ３４０）、エネルギーを送信するための動作を行う。まず、ソースモードに変換する（Ｓ３５０）。前述したように、ソースモードに変換するためにインバータとバッテリーとを連結し、前記インバータと電源制御変換部とを連結してバッテリーの電源を充電デバイスに送信可能にする。そして、誘導コイルを第１巻線と設定する（Ｓ３６０）。以後、バッテリーの電源を利用して充電デバイスにエネルギーを送信する（Ｓ３７０）。
【００５６】
エネルギーを送信しつつ、バッテリーの充電状態をチェックして過放電にならないようにすることができる。
【００５７】
図８は、本発明の一実施形態によるモバイルデバイス間の構成を示す概念図である。
【００５８】
ユーザは、携帯電話６０、ＰＤＡ７０、ノート型パソコン８０のようにバッテリーで動作するモバイルデバイス間に電源を共有できる。例えば、ＰＤＡのバッテリー充電量が低い場合、ノート型パソコンのバッテリーから接触や電線なしに充電できる。同時に携帯電話６０のバッテリーもノート型パソコンを通じて充電可能である。
【００５９】
本明細書でのモバイルデバイスは、携帯電話、ＰＤＡ、ノート型パソコンなどのマルチメディアデバイス以外にもＰＡＮ（Ｐｅｒｓｏｎａｌ  Ａｒｅａ  Ｎｅｔｗｏｒｋ）を構成するデバイスにも適用して、特定距離内に存在するデバイス間に電源を共有可能にする。
【００６０】
本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。本発明の範囲は詳細な説明よりは特許請求の範囲により表れ特許請求の範囲の意味及び範囲、そしてその等価概念から導かれるあらゆる変更または変形された形態が本発明の範囲に含まれると解釈されねばならない。
【産業上の利用可能性】
【００６１】
本発明は、ノート型パソコン、携帯電話、ＰＤＡ、ＰＭＰ、ＭＰ３プレーヤーなどの携帯用装置に適用できる。
【図面の簡単な説明】
【００６２】
【図１】従来の非接触充電方式を示す図である。
【図２】本発明の一実施形態による変圧器の内部構成をモバイルデバイスで具現する概念を示す図である。
【図３】本発明の一実施形態によるモバイルデバイスの構成を示す図である。
【図４】本発明の一実施形態による二モバイルデバイスが非接触で充電を行う図である。
【図５】本発明の一実施形態による複数のモバイルデバイスが一つのデバイスから充電を行う図である。
【図６】本発明の一実施形態によるモバイルデバイスが他のモバイルデバイスからエネルギーを受信するロードモードである場合の動作を示すフローチャートである。
【図７】本発明の一実施形態によるモバイルデバイスが他のモバイルデバイスにエネルギーを送信するソースモードである場合の動作を示すフローチャートである。
【図８】本発明の一実施形態によるモバイルデバイス間の構成を示す概念図である。
【符号の説明】
【００６３】
１１０      電源制御／変換部
１２０      整流器
１３０      バッテリー
１６０      インバータ
１７０      通信部
【図１】
2007124890.tif 000003
【図２】
2007124890.tif 000004
【図３】
2007124890.tif 000005
【図４】
2007124890.tif 000006
【図５】
2007124890.tif 000007
【図６】
2007124890.tif 000008
【図７】
2007124890.tif 000009
【図８】
2007124890.tif 000010